(57)【特許請求の範囲】
【請求項１】
入力したかな文字を漢字に変換する機能を有する入力装置であって、
かな文字を入力するための文字キー、入力したかな文字列を漢字に変換するための変換キーおよび変換した漢字を確定するための実行キーを備えた入力手段と、
前記入力手段の前記実行キーの操作時間を計時する計時手段と、
この計時手段による計時時間の長さに応じて前記実行キーの操作によって変換が確定した漢字の文字データの文字サイズデータを変更する文字サイズ変更手段と、
前記入力手段の前記実行キーの操作によって変換が確定した漢字の文字データを表示する表示手段と、
前記文字サイズ変更手段による文字サイズの変更処理に応じて前記表示手段に表示される漢字の文字データのサイズを変更する表示制御手段と
を具備したことを特徴とする入力装置。
【請求項２】
さらに、
前記文字サイズ変更手段による文字サイズの変更処理を拡大又は縮小の何れかの処理に設定するサイズ変更設定手段を備えたことを特徴とする請求項１に記載の入力装置。
【請求項３】
前記文字サイズ変更手段は、前記計時手段による計時時間の長さに応じて段階的に複数の文字サイズの変更処理を行なうことを特徴とする請求項１に記載の入力装置。
【請求項４】
さらに、
文字サイズの変更処理を行なう時間を任意に設定する時間設定手段を備え、
前記文字サイズ変更手段は、前記計時手段による計時時間の長さが前記時間設定手段により任意に設定された時間となった際に文字サイズの変更処理を行なうことを特徴とする請求項１に記載の入力装置。
【請求項５】
さらに、
文字サイズの変更倍率を設定する倍率設定手段を備え、
前記文字サイズ変更手段は、前記計時手段による計時時間の長さに応じ前記倍率設定手段により設定された変更倍率に従って文字サイズの変更処理を行なうことを特徴とする請求項１に記載の入力装置。
【請求項６】
さらに、
文字サイズの変更処理を行なう時間を任意に設定する時間設定手段と、
文字サイズの変更倍率を設定する倍率設定手段とを備え、
前記文字サイズ変更手段は、前記計時手段による計時時間の長さが前記時間設定手段により任意に設定された時間となる毎に前記倍率設定手段により設定された変更倍率に従って段階的に文字サイズの変更処理を行なうことを特徴とする請求項１に記載の入力装置。
【発明の詳細な説明】
【０００１】
【発明の属する技術分野】
本発明は、文字等のデータを入力するワードプロセッサ等の入力装置に関する。
【０００２】
【従来の技術】
従来、例えばワードプロセッサを使用して文字データを入力し、該入力した文字データの文字サイズを変更するには、文字データの入力状態において文字サイズの変更モードを設定し、変更対象となる文字データの範囲をカーソル操作により指定すると共に、変更後の文字サイズ（倍角，４倍角，１／２倍角等）を設定して実行することにより、標準サイズで入力された文字データの拡大や縮小を行なっている。
【０００３】
【発明が解決しようとする課題】
しかしながら、前記従来のワードプロセッサにおける文字サイズの変更処理は、文字データの入力処理を中断し文字サイズの変更モードを設定して行なう必要があるため、その都度、サイズ変更モード設定のための余分なキー操作に手間の掛かる問題がある。
【０００４】
本発明は、前記のような問題に鑑みなされたもので、文字データの入力処理を中断して文字サイズの変更モードを新たに設定する必要なく、非常に簡単に入力した文字データのサイズを変更処理することが可能になる入力装置を提供することを目的とする。
【０００７】
【課題を解決するための手段】
すなわち、本発明に係わる入力装置は、入力したかな文字を漢字に変換する機能を有する入力装置であって、かな文字を入力するための文字キー、入力したかな文字列を漢字に変換するための変換キーおよび変換した漢字を確定するための実行キーを備えた入力手段と、前記入力手段の前記実行キーの操作時間を計時する計時手段と、この計時手段による計時時間の長さに応じて前記実行キーの操作によって変換が確定した漢字の文字データの文字サイズデータを変更する文字サイズ変更手段と、前記入力手段の前記実行キーの操作によって変換が確定した漢字の文字データを表示する表示手段と、前記文字サイズ変更手段による文字サイズの変更処理に応じて前記表示手段に表示される漢字の文字データのサイズを変更する表示制御手段とを具備したことを特徴とする。
【０００８】
つまり、本発明に係わる他の入力装置では、文字キーを操作してかな文字データを入力し変換キーを操作して漢字変換を行なって実行キーの操作により漢字を確定した際に、当該実行キーの操作時間が計時され、この計時時間の長さ、すなわち、漢字確定時からの実行キーの操作時間の長さに応じて、前記入力確定した漢字の文字データの文字サイズデータが変更されるので、例えば所望の漢字をかな漢字変換して実行キーにより確定した際に、この実行キーを操作し続けることで、入力確定文字の文字サイズがその操作時間に伴ない次第に拡大あるいは縮小処理されることになる。
【００１１】
【発明の実施の形態】
以下図面により本発明の実施の形態について説明する。
図１は本発明の入力装置の実施形態に係わるワードプロセッサの電子回路の構成を示すブロック図である。
【００１２】
このワードプロセッサの電子回路は、制御部（ＣＰＵ）１１により回路全体の動作制御が司られる。
制御部１１は、キー入力部１２から供給されるキー操作信号に応じてＲＯＭ１３に予め記憶されているシステムプログラムを起動させ、回路各部の動作制御を行なうもので、この制御部１１には、前記キー入力部１２、ＲＯＭ１３の他、キャラクタジェネレータ１４、かな漢字変換テーブル１５、ＲＡＭ１６、切換えスイッチＡ１７、切換えスイッチＢ１８、タイマ１９が接続されると共に、表示制御部２０を介して液晶ドットマトリクス表示部２１が接続され、また、印字制御部２２を介してプリンタ部２３が接続される。
【００１３】
前記キー入力部１２には、任意の文字列（文書）を入力するためのかな文字キー，数字キー，記号キーからなる文字入力キー１２ａが備えられると共に、各種入力データの変換，確定，登録，印刷等を行なう際に操作される変換キー，実行キー，印刷キー等の各種の制御キー、表示画面上でカーソル移動やデータ選択を行なう際に操作されるカーソルキー等が備えられる。
【００１４】
前記ＲＯＭ１３には、各種データ入力モードにおける制御プログラムや、かな漢字変換制御プログラム、文字サイズ変更制御プログラム、印刷制御プログラム等、制御部１１によるシステム制御プログラムが予め記憶される。
【００１５】
前記キャラクタジェネレータ１４には、前記キー入力部１２により入力可能な全ての文字コードに対応するフォントデータが予め記憶され、液晶表示部２１に表示すべき表示データやプリンタ部２３にて印刷すべき印刷データに応じて各対応するフォントデータが制御部１１に読み出される。
【００１６】
前記かな漢字変換テーブル１５には、各種の単漢字，単語，熟語に対応する多数の漢字文字コードと、それぞれの読みに対応するかな文字コードとが対応付けられて、予めテーブルデータとして記憶される。
【００１７】
前記切換えスイッチＡ１７は、文字サイズの変更倍率をスイッチの切換えにより選択的に設定するもので、例えば標準（全角）サイズ設定ポジションの他、拡大側で倍角，４倍角、縮小側で１／２倍角，１／４倍角としたスイッチの切換えポジションを備えている。
【００１８】
前記切換えスイッチＢ１８は、入力された文字データの文字サイズを前記切換えスイッチＡ１７にて選択設定された倍率に拡大あるいは縮小処理する際に、その最大倍率に段階的に到達させるための段階数をスイッチの切換えにより選択的に設定するもので、例えば２段，３段，４段としてスイッチの切換えポジションを備えている。
【００１９】
前記タイマ１９は、キー入力部１２にて操作される文字入力キーや各種の制御キー等のキー操作に伴なう時間を計時するもので、また、このタイマ１９は、入力された文字データの文字サイズを前記切換えスイッチＡ１７により設定された倍率に前記切換えスイッチＢ１８により設定された段階数で変更する際の１段当たりの切換えタイミングに相当するキー操作時間を設定するための時間設定ダイアルを備えている。
【００２０】
図２は前記ワードプロセッサの電子回路に備えられるＲＡＭ１６内のデータレジスタの構成を示す図である。
ＲＡＭ１６には、入力バッファ１６ａ、表示バッファ１６ｂ、アトリビュート・メモリ１６ｃ、サイズ設定レジスタ１６ｄ、変更段数レジスタ１６ｅ、変更回数レジスタ１６ｆ、リピート時間レジスタ１６ｇが備えられる。
【００２１】
入力バッファ１６ａには、キー入力部１２の文字入力キーの操作に伴ない入力された文字データが文字コードデータとして記憶保持される。
表示バッファ１６ｂには、前記キー入力操作に伴ない入力バッファ１６ａに記憶された文字コードデータに対応してキャラクタジェネレータ１４から読み出された文字のフォントパターンが記憶され、この表示レジスタ１６ｂに記憶された文字フォントパターンが表示制御部２０に出力されて液晶表示部２１に表示される。
【００２２】
アトリビュート・メモリ１６ｃには、前記入力バッファ１６ａに記憶された各文字コードデータのそれぞれに対応する属性情報（文字種／文字サイズ）が記憶されるもので、前記キャラクタジェネレータ１４から文字コードデータに対応して読み出されるフォントパターンは、このアトリビュート・メモリ１６ｃに記憶された属性情報に従って読み出され、前記表示レジスタ１６ｂに書き込まれて液晶表示部２１に表示される。
【００２３】
サイズ設定レジスタ１６ｄには、前記切換えスイッチＡ１７のスイッチ操作により設定された標準あるいは拡大，縮小に伴なう文字サイズデータ（変更倍率）が記憶される。
【００２４】
変更段数レジスタ１６ｅには、前記切換えスイッチＢ１８により設定された文字サイズ変更の際の変更最大倍率までの変更段階数が記憶される。
変更回数レジスタ１６ｆには、直前にキー入力された文字データに対して行なう文字サイズの変更処理回数がセットされる。
【００２５】
リピート時間レジスタ１６ｇには、前記タイマ１９に備えられた時間設定ダイアルにより設定された文字サイズ変更の際の１段当たりの切換えタイミングに相当するキー操作時間が記憶される。
【００２６】
前記プリンタ部２３は、ライン型のサーマル印字ヘッド，キャリッジ駆動モータ，プラテン駆動モータ等により構成され、制御部１１から印字制御部２２を介して駆動制御されるもので、サーマル印字ヘッドによる１ドットライン毎の印刷データの印字出力に同期して、キャリッジ駆動モータによりキャリッジが１ドットラインの幅ずつ副走査方向に移動され、１行印刷が終了するとプラテン駆動モータによりプラテンが１行の幅で回転されて紙送りされる。
【００２７】
次に、前記構成によるワードプロセッサの動作について説明する。
図３は前記ワードプロセッサにおけるキー入力処理を示すフローチャートである。
【００２８】
図４は前記ワードプロセッサにおける文字サイズの変更設定内容及び文字キー操作に伴なう文字サイズの変更状態を示す図であり、同図（Ａ）は変更サイズ，変更段階数，キー操作時間（変更タイミング）の設定例を示す図、同図（Ｂ）は文字入力キーの連続操作に伴なう入力文字サイズの変更表示例を示す図である。
【００２９】
まず、切換えスイッチＡ１７のスイッチ操作により、図４（Ａ）に示すように、変更文字サイズを拡大側の４倍角として設定すると、その変更サイズデータがＲＡＭ１６内のサイズ設定レジスタ１６ｄに記憶される。
【００３０】
また、切換えスイッチＢ１８のスイッチ操作により、図４（Ａ）に示すように、文字サイズの変更段階数を３段階として設定すると、その変更段階数がＲＡＭ１６内の変更段数レジスタ１６ｅに記憶される。
【００３１】
さらに、タイマ１９に備えられる時間設定ダイアルのダイアル操作により、図４（Ａ）に示すように、文字サイズの変更タイミング（キー操作時間）を２秒として設定すると、そのキー操作時間がＲＡＭ１６内のリピート時間レジスタ１６ｇに記憶される。
【００３２】
なお、前記ＲＡＭ１６内の変更回数レジスタ１６ｆには、図３におけるキー入力処理のイニシャル処理において“１”がセットされる。
すなわち、キー入力部１２における文字入力キーにおいて、例えば「あ」を選択して押下操作すると、文字入力キーの操作有りと判断され、該文字キー操作時点からの連続的なキー操作に伴なう経過時間がタイマ１９により計時されると共に、このタイマ１９により計時されたキー操作経過時間が前記ＲＡＭ１６内のリピート時間レジスタ１６ｇに記憶されているキー操作時間（サイズ変更タイミング）“２秒”を経過したか否か判断される（ステップＳ１→Ｓ２）。
【００３３】
ここで、文字入力キー「あ」のキー操作時点からのタイマ１９により計時されたキー操作経過時間が前記リピート時間レジスタ１６ｇに記憶されているキー操作時間“２秒”を経過していないと判断された場合には、操作キーに対応する文字データ「あ」がＲＡＭ１６内の入力バッファ１６ａに入力済みであるか否かが判断され、入力済みでないと判断された場合には、当該文字入力キー「あ」に対応する文字コードデータが前記ＲＡＭ１６内の入力バッファ１６ａに記憶される（ステップＳ２→Ｓ３→Ｓ４）。
【００３４】
この場合、ＲＡＭ１６内のアトリビュート・メモリ１６ｃには、前記キー入力された文字データ「あ」の文字コードデータに対応付けられて、その属性情報（文字種／文字サイズ）が、例えば（明朝体／全角）として記憶される。
【００３５】
すると、キャラクタジェネレータ１４から読み出された明朝体で全角サイズの文字フォント「あ」がＲＡＭ１６内の表示レジスタ１６ｂに書き込まれ、表示制御部２０に出力されて液晶表示部２１に表示される［図４（Ｂ）参照］。
【００３６】
そして、前記文字入力キー「あ」のタイマ１９により計時されたキー操作経過時間が前記リピート時間レジスタ１６ｇに記憶されているキー操作時間“２秒”を経過したと判断されると、前記ＲＡＭ１６内のサイズ設定レジスタ１６ｄに設定記憶されている変更文字サイズが、変更無しの“標準（全角）”に設定されているか、又は変更有りの“拡大”あるいは“縮小”に設定されているか判断される（ステップＳ１→Ｓ２→Ｓ５）。
【００３７】
ここで、前記ＲＡＭ１６内のサイズ設定レジスタ１６ｄに設定記憶されている変更文字サイズが、変更無しの“標準（全角）”に設定されていると判断された場合には、当該文字入力キー「あ」のキー入力操作が続く限り、ステップＳ１→Ｓ２→Ｓ３又はＳ１→Ｓ２→Ｓ５→Ｓ３の処理が繰り返され、全角サイズの入力文字データ「あ」が表示されたままとなる。
【００３８】
一方、前記ＲＡＭ１６内のサイズ設定レジスタ１６ｄに設定記憶されている変更文字サイズが、変更無しの“標準（全角）”ではなく、例えば図４（Ａ）で示したように、“拡大（４倍角）”に設定されていると判断された場合には、ＲＡＭ１６内の変更回数レジスタ１６ｆにセットされたサイズ変更回数が変更段数レジスタ１６ｅに設定記憶されているサイズ変更段階数に到達したか否か判断される（ステップＳ５→Ｓ６）。
【００３９】
ここで、前記ＲＡＭ１６内の変更回数レジスタ１６ｆには、サイズ変更回数が“１”としてイニシャルセット（最初のキー入力に伴なう全角サイズの文字入力を１回として数える）されており、変更段数レジスタ１６ｅには、例えば図４（Ａ）で示したように、サイズ変更段階数が“３”とセットされているので、変更回数“１”は変更段階数“３”に到達していないと判断されると、前記ＲＡＭ１６内のサイズ設定レジスタ１６ｄに設定記憶されている変更文字サイズ“拡大（４倍角）”に基づき拡大変更であることが判断され、前記キー入力文字データ「あ」の２段目の拡大処理が行なわれる（ステップＳ６→Ｓ７→Ｓ８ａ〜Ｓ１０）。
【００４０】
すなわち、前記ステップＳ７において拡大変更であることが判断されると、まず、前記ＲＡＭ１６内のサイズ設定レジスタ１６ｄに設定記憶されている変更文字サイズ（設定倍率）“４倍角”を最大倍率とする変更段数レジスタ１６ｅに設定記憶されているサイズ変更段数“３”に基づく均等拡大倍率“倍角”で、入力バッファ１６ａに現在全角文字として記憶されている入力文字「あ」が倍角に拡大生成され、この入力文字「あ」に対応してアトリビュート・メモリ１６ｃに記憶されている属性情報の文字サイズが（全角）→（倍角）に変更される（ステップＳ８ａ，Ｓ９）。
【００４１】
すると、ＲＡＭ１６内の表示バッファ１６ｂに記憶されている入力文字データ「３」の全角のフォントパターンが倍角のフォントパターンに変更され、図４（Ｂ）に示すように、液晶表示部２１に対し変更表示される（ステップＳ１０）。
【００４２】
つまり、前記キー入力部１２における文字入力キーが押下操作され、その押下操作の継続時間が２秒になると、入力された文字データは２段目である倍角に拡大されて表示されるようになる。
【００４３】
そして、ＲＡＭ１６内の変更回数レジスタ１６ｆにセットされているサイズ変更回数が（＋１）されて“２”にセットされる（ステップＳ１１）。
この後、さらに前記同様の文字入力キー「あ」が継続的に操作され、再び、前記リピート時間レジスタ１６ｇに記憶されているキー操作時間“２秒”を経過したと判断されると、前記ＲＡＭ１６内のサイズ設定レジスタ１６ｄに設定記憶されている変更文字サイズが、変更無しの“標準（全角）”ではなく、“拡大（４倍角）”に設定されていると判断され、ＲＡＭ１６内の変更回数レジスタ１６ｆにセットされたサイズ変更回数が変更段数レジスタ１６ｅに設定記憶されているサイズ変更段階数に到達したか否か判断される（ステップＳ１→Ｓ２→Ｓ５→Ｓ６）。
【００４４】
ここで、前記ＲＡＭ１６内の変更回数レジスタ１６ｆには、サイズ変更回数が“２”にインクリメントセットされており、変更段数レジスタ１６ｅには、サイズ変更段階数が“３”とセットされているので、変更回数“２”は変更段階数“３”に到達していないと判断され、前記ＲＡＭ１６内のサイズ設定レジスタ１６ｄに設定記憶されている変更文字サイズ“拡大（４倍角）”に基づき拡大変更であることが判断され、前記キー入力文字データ「あ」の３段目の拡大処理が行なわれる（ステップＳ６→Ｓ７→Ｓ８ａ〜Ｓ１０）。
【００４５】
すなわち、前記ステップＳ７において拡大変更であることが判断されると、まず、前記ＲＡＭ１６内のサイズ設定レジスタ１６ｄに設定記憶されている変更文字サイズ（設定倍率）“４倍角”を最大倍率とする変更段数レジスタ１６ｅに設定記憶されているサイズ変更段数“３”に基づく均等拡大倍率“倍角”で、入力バッファ１６ａに現在倍角文字として記憶されている入力文字「あ」が４倍角に拡大生成され、この入力文字「あ」に対応してアトリビュート・メモリ１６ｃに記憶されている属性情報の文字サイズが（倍角）→（４倍角）に変更される（ステップＳ８ａ，Ｓ９）。
【００４６】
すると、ＲＡＭ１６内の表示バッファ１６ｂに記憶されている入力文字データ「３」の倍角のフォントパターンが４倍角のフォントパターンに変更され、図４（Ｂ）に示すように、液晶表示部２１に対し変更表示される（ステップＳ１０）。
【００４７】
つまり、前記キー入力部１２における文字入力キーが押下操作され、その押下操作の継続時間が２秒になると、入力された文字データは２段目である倍角に拡大されて表示され、さらに、同押下操作の継続時間が４秒になると、３段目である４倍角に拡大されて表示されるようになる。
【００４８】
そして、ＲＡＭ１６内の変更回数レジスタ１６ｆにセットされているサイズ変更回数が（＋１）されて“３”にセットされる（ステップＳ１１）。
この後、さらに前記同様の文字入力キー「あ」が継続的に操作され、再び、前記リピート時間レジスタ１６ｇに記憶されているキー操作時間“２秒”を経過したと判断されると、前記ＲＡＭ１６内の変更回数レジスタ１６ｆには、サイズ変更回数が“３”にインクリメントセットされており、変更段数レジスタ１６ｅには、サイズ変更段階数が“３”とセットされているので、変更回数“３”は変更段階数“３”に到達したと判断され、前記入力文字データ「あ」の文字サイズは設定された拡大倍率“４倍角”を最大として維持される（ステップＳ１→Ｓ２→Ｓ５→Ｓ６→Ｓ１）。
【００４９】
そして、前記文字入力キー「あ」の押下操作が解消されると、前記一連のキー入力処理が終了される（ステップＳ１→ＥＮＤ）。
一方、キー入力文字データの文字サイズを縮小変更する場合も前記拡大変更処理する場合と同様にして、文字入力キーを継続的に押下操作することで、リピート時間レジスタ１６ｇにセットされたキー操作時間毎に、サイズ設定レジスタ１６ｄに設定記憶されている変更文字サイズ（設定倍率）を最大倍率とする変更段数レジスタ１６ｅに設定記憶されているサイズ変更段数に基づく均等縮小倍率で、入力バッファ１６ａに記憶されている入力文字が段階的に縮小生成され（ステップＳ７→Ｓ８ｂ）、アトリビュート・メモリ１６ｃに記憶されている文字サイズデータの縮小変更処理（ステップＳ９）、及び表示バッファ１６ｂに記憶されているフォントパターンの縮小変更処理（ステップＳ１０）が順次実行される。
【００５０】
したがって、前記構成のワードプロセッサによれば、キー入力部１２の文字入力キー「あ」を押下操作すると、まず、入力された文字データ「あ」に対応する文字コードデータがＲＡＭ１６内の入力バッファ１６ａに記憶され、対応するアトリビュート・メモリ１６ｃの文字サイズデータが標準（全角）に設定され、表示バッファ１６ｂに全角サイズの文字フォントが書き込まれて液晶表示部２１に表示される。そして、前記文字入力キー「あ」の押下操作を継続すると、タイマ１９により設定されたリピート時間“２秒”毎に、切換えスイッチＡ１７により設定された拡大倍率“４倍角”を最大倍率として、切換えスイッチＢ１８により設定された変更段階数“３”で、前記入力された文字データ「あ」の文字サイズデータが全角→倍角→４倍角と段階的に変更設定されて表示されるので、文字サイズの変更処理に際し、文字データの入力処理を一々中断してサイズ変更モード設定のための余分なキー操作に手間を取られることなく、文字入力キーをそのまま操作し続けるだけで、当該入力文字を所望の文字サイズに容易に変更できるようになる。
【００５１】
なお、前記実施形態では、入力したい文字に対応する文字入力キーを押下操作し続けることで、そのキー操作時間に応じて、入力文字の文字サイズが順次段階的に変更設定される構成としたが、文字入力キーによりかな入力した文字列を「変換」キーを操作して所望の漢字に変換した状態で、漢字確定のための「実行」キーを操作し続けることで、該「実行」キーの操作時間に応じて、確定漢字の文字サイズが順次段階的に変更設定される構成としてもよい。
【００５２】
図５は前記ワードプロセッサによる漢字変換後の確定漢字文字サイズの拡大変更処理に伴なう変更表示例を示す図である。
すなわち、キー入力部１２の文字入力キーを操作して「かしえ」と入力して表示させ、「変換」キーを操作して「樫え」と漢字変換された状態で、「実行」キーを操作して前記変換された漢字の「樫」を確定し、そのまま「実行」キーを操作し続けると、前記図３におけるキー入力処理と略同様にして、タイマ１９により設定されたキー操作時間毎に、切換えスイッチＡ１７により設定された拡大倍率（この場合は４倍角）を最大倍率として、切換えスイッチＢ１８により設定された変更段階数（この場合は３段階）で、前記漢字変換確定された漢字データ「樫」の文字サイズデータが全角→倍角→４倍角と段階的に変更設定されて表示されるようになる。
【００５３】
さらに、前記各実施形態では、文字入力キーによりキー入力された文字データそれ自体の文字サイズを当該文字入力キーを継続操作して変更処理（図４参照）したり、また、漢字変換後の「実行」キーにより確定された漢字データそれ自体の文字サイズを当該「実行」キーを継続操作して変更処理（図５参照）する場合について説明したが、文字入力キーによる文字入力処理や漢字変換確定処理を行なった後の文字列データが入力表示された状態において、カーソル操作で任意に指定された範囲の文字列データに対し、ある特定の制御キー（例えばカーソル指定範囲確定指示のための「実行」キー）を操作し続けることで、前記同様に文字サイズの段階的な変更処理を行なう構成としてもよい。
【００５５】
【発明の効果】
以上のように、本発明に係わる入力装置によれば、文字キーを操作してかな文字データを入力し変換キーを操作して漢字変換を行なって実行キーの操作により漢字を確定した際に、当該実行キーの操作時間が計時され、この計時時間の長さ、すなわち、漢字確定時からの実行キーの操作時間の長さに応じて、前記入力確定した漢字の文字データの文字サイズデータが変更されるので、例えば所望の漢字をかな漢字変換して実行キーにより確定した際に、この実行キーを操作し続けることで、入力確定文字の文字サイズがその操作時間に伴ない次第に拡大あるいは縮小処理されることになる。
【００５７】
よって、文字データの入力処理を中断して文字サイズの変更モードを新たに設定する必要なく、非常に簡単に入力した文字データのサイズを変更処理することが可能になる。
【図面の簡単な説明】
【図１】本発明の入力装置の実施形態に係わるワードプロセッサの電子回路の構成を示すブロック図。
【図２】前記ワードプロセッサの電子回路に備えられるＲＡＭ内のデータレジスタの構成を示す図。
【図３】前記ワードプロセッサにおけるキー入力処理を示すフローチャート。
【図４】前記ワードプロセッサにおける文字サイズの変更設定内容及び文字キー操作に伴なう文字サイズの変更状態を示す図であり、同図（Ａ）は変更サイズ，変更段階数，キー操作時間（変更タイミング）の設定例を示す図、同図（Ｂ）は文字入力キーの連続操作に伴なう入力文字サイズの変更表示例を示す図。
【図５】前記ワードプロセッサによる漢字変換後の確定漢字文字サイズの拡大変更処理に伴なう変更表示例を示す図。
【符号の説明】
１１  …制御部（ＣＰＵ）、
１２  …キー入力部、
１３  …ＲＯＭ、
１４  …キャラクタジェネレータ、
１５  …かな漢字変換テーブル、
１６  …ＲＡＭ、
１６ａ…入力バッファ、
１６ｂ…表示バッファ、
１６ｃ…アトリビュート・メモリ、
１６ｄ…サイズ設定レジスタ、
１６ｅ…変更段数レジスタ、
１６ｆ…変更回数レジスタ、
１６ｇ…リピート時間レジスタ、
１７  …切換えスイッチＡ、
１８  …切換えスイッチＢ、
１９  …タイマ、
２０  …表示制御部、
２１  …液晶ドットマトリクス表示部、
２２  …印字制御部、
２３  …プリンタ部。
【図１】
0004107515.tif 000002
【図２】
0004107515.tif 000003
【図３】
0004107515.tif 000004
【図４】
0004107515.tif 000005
【図５】
0004107515.tif 000006